(57)【要約】【課題】商品を収納した複数の袋体を奥行き方向に吊り下げ可能な吊り下げ型陳列具であって、縦一列の限られたスペースに、複数種の商品の袋体を吊り下げることができ、スペースを有効利用することのできる吊り下げ型陳列具を提供する。【解決手段】側面視において略Ｃ字型に形成され、上部に第一の吊り下げ部３ａを有する第一のフレーム３と、前記第一のフレームの下部前端に接合されると共に、第二の吊り下げ部４ａを有する第二のフレーム４とを少なくとも備え、前記第一の吊り下げ部と前記第二の吊り下げ部とは、正面視において所定の間隔をもって縦一列に配置されると共に、側面視において前記第二の吊り下げ部が前記第一の吊り下げ部の前方に突出して配置されている。【選択図】図１
0003160826.tif 000002
【実用新案登録請求の範囲】
【請求項１】
陳列面から前方に向けて直棒状に延びる吊り下げ部に、商品を収納した複数の袋体を奥行き方向に並べて吊り下げ可能な吊り下げ型陳列具であって、
側面視において略Ｃ字型に形成され、上部に第一の吊り下げ部を有する第一のフレームと、前記第一のフレームの下部前端に接合されると共に、第二の吊り下げ部を有する第二のフレームとを少なくとも備え、
前記第一の吊り下げ部と前記第二の吊り下げ部とは、正面視において所定の間隔をもって縦一列に配置されると共に、側面視において前記第二の吊り下げ部が前記第一の吊り下げ部の前方に突出して配置されていることを特徴とする吊り下げ型陳列具。
【請求項２】
陳列面に対し係止可能な係止部材を備え、
前記第一のフレームは、前記係止部材に接合されていることを特徴とする請求項１に記載された吊り下げ型陳列具。
【請求項３】
前記第一の吊り下げ部と前記第二の吊り下げ部の前端には、それぞれ先端が前方上向きに所定角度傾斜した第一の滑り落ち防止部が設けられていることを特徴とする請求項１または請求項２に記載された吊り下げ型陳列具。
【請求項４】
前記第二の吊り下げ部の後方において、前記第一のフレームの下部前端が前記第二の吊り下げ部よりも上方に突出して接合されることにより、第二の滑り落ち防止部が形成されていることを特徴とする請求項１乃至請求項３のいずれかに記載された吊り下げ型陳列具。
【請求項５】
前記第一のフレームは、前記第一の吊り下げ部の下方空間の高さ寸法を調節可能な伸縮手段を備えることを特徴とする請求項１乃至請求項４のいずれかに記載された吊り下げ型陳列具。
【考案の詳細な説明】
【技術分野】
【０００１】
本考案は、商品を収納した袋体を吊り下げる吊り下げ型陳列具に関し、特に、縦方向のスペースを有効に利用できる吊り下げ型陳列具に関する。
【背景技術】
【０００２】
コンビニエンスストア等における商品の陳列方法の一つとして、壁面側に後端が固定された直棒状の吊り下げバーに、商品を収納した袋体を複数並べて吊り下げる方法がある。即ち、前記袋体の上端部には、孔またはフック状の係合構造が設けられており、その係合構造に吊り下げバーを貫挿させて袋体を吊り下げるものである。
そのような陳列方法にあっては、奥行き方向に複数の商品が重ねられるため、客からは一番手前の商品パッケージが認識される。このため、一般に一本の吊り下げバーにつき一種類の商品が吊り下げられている。
【０００３】
しかしながら、商品の種類によって、それを収納する袋体の大きさは様々であり、高さ寸法の異なる複数種の袋体を、横一列に陳列した場合、短寸の袋体の下方に無駄なスペースが生じるという課題があった。
また、一本の吊り下げバーにサイズや種類の異なる複数の商品を吊り下げて陳列しても、商品の入った袋を一つずつ、ずらして商品を確認する必要があり、手間を要するという課題があった。
【０００４】
そのような課題に対し、特許文献１には、図６に示すように吊り下げバー５０に段差部５０ａを形成し、二つの吊り下げ部５１、５２を設けた構成が開示されている。即ち、一本の吊り下げバー５０に、それぞれ高さ位置の異なる吊り下げ部５１，５２を有するため、それぞれにサイズや種類の異なる商品の袋体６０、６１を吊り下げることができ、スペースを有効活用することができる。
【先行技術文献】
【特許文献】
【０００５】
【特許文献１】実開平７−２８４６５号公報
【考案の概要】
【考案が解決しようとする課題】
【０００６】
ところで、特許文献１に開示の吊り下げバー５０の構造にあっては、図６に示すように吊り下げる袋体６０，６１の上端部に吊り下げフック６０ａ、６１ａが設けられた構造のみ有効に利用することができるものであった。
即ち、吊り下げバー５０に対し、袋体上端部における係合構造がフック形状ではなく、丸穴等の孔形状の場合には、吊り下げバー５０の前端から商品の袋体を取り外す必要があるため、一本の吊り下げバー５０につき従来通り一種類の商品しか陳列できないという課題があった。
【０００７】
本考案は、前記した点に着目してなされたものであり、商品を収納した複数の袋体を奥行き方向に吊り下げ可能な吊り下げ型陳列具であって、縦一列の限られたスペースに、複数種の商品の袋体を吊り下げることができ、スペースを有効利用することのできる吊り下げ型陳列具を提供することを目的とする。
【課題を解決するための手段】
【０００８】
前記目的を達成するため、本考案に係る吊り下げ型陳列具は、陳列面から前方に向けて直棒状に延びる吊り下げ部に、商品を収納した複数の袋体を奥行き方向に並べて吊り下げ可能な吊り下げ型陳列具であって、側面視において略Ｃ字型に形成され、上部に第一の吊り下げ部を有する第一のフレームと、前記第一のフレームの下部前端に接合されると共に、第二の吊り下げ部を有する第二のフレームとを少なくとも備え、前記第一の吊り下げ部と前記第二の吊り下げ部とは、正面視において所定の間隔をもって縦一列に配置されると共に、側面視において前記第二の吊り下げ部が前記第一の吊り下げ部の前方に突出して配置されていることに特徴を有する。
尚、陳列面に対し係止可能な係止部材を備え、前記第一のフレームは、前記係止部材に接合されていることが望ましい。
【０００９】
このように構成することにより、種類の異なる商品の袋体を、縦一列の限られたスペースに上下に並べて吊り下げることができると共に、袋体上端部における係合構造が丸穴等の孔形状、或いはフック形状に限らず、吊り下げられている種類の異なる袋体のいずれも、容易に取り出すことができ、スペースを有効利用することができる。
【００１０】
また、前記第一の吊り下げ部と前記第二の吊り下げ部の前端には、それぞれ先端が前方上向きに所定角度傾斜した第一の滑り落ち防止部が設けられていることが望ましい。
また、前記第二の吊り下げ部の後方において、前記第一のフレームの下部前端が前記第二の吊り下げ部よりも上方に突出して接合されることにより、第二の滑り落ち防止部が形成されていることが望ましい。
このように滑り落ち防止部を設けることにより、袋体が吊り下げ部の前後から滑り落ちることを防止することができる。
【００１１】
また、前記第一のフレームは、前記第一の吊り下げ部の下方空間の高さ寸法を調節可能な伸縮手段を備えることが望ましい。
このように構成すれば、袋体の高さ寸法に応じて前記第一の吊り下げ部の下方空間の高さ寸法を調節することにより、様々な高さ寸法の袋体に対し柔軟に対応することができる。
【考案の効果】
【００１２】
本考案によれば、商品を収納した複数の袋体を奥行き方向に吊り下げ可能な吊り下げ型陳列具であって、縦一列の限られたスペースに、複数種の商品の袋体を吊り下げることができ、スペースを有効利用することのできる吊り下げ型陳列具を得ることができる。
【図面の簡単な説明】
【００１３】
【図１】図１は、本考案に係る吊り下げ型陳列具の全体の概略構成を示す側面図である。
【図２】図２は、図１の吊り下げ型陳列具の正面図であって、商品を収納した袋体を吊り下げた状態を示す図である。
【図３】図３は、図１の吊り下げ型陳列具において、商品を収納した袋体が吊り下げられていない状態での正面図である。
【図４】図４は、本考案に係る吊り下げ型陳列具の他の実施形態を示す側面図である。
【図５】図５は、本考案に係る吊り下げ型陳列具の他の実施形態を示す側面図である。
【図６】図６は、従来の吊り下げ型陳列具の構成を示す斜視図である。
【考案を実施するための形態】
【００１４】
以下、本考案の実施の形態を図面に基づき説明する。図１は、本考案に係る吊り下げ型陳列具の全体の概略構成を示す側面図である。図２は、図１の吊り下げ型陳列具の正面図であって、商品を収納した袋体を吊り下げた状態を示す。また、図３は、商品を収納した袋体が吊り下げられていない状態での正面図である。
【００１５】
図１乃至図３に示す吊り下げ型陳列具１は、陳列面に対し取り付け可能に構成されている。即ち、図示する吊り下げ型陳列具１は、断面逆Ｕ字型の取付金具２（係止部材）を備えている。この取付金具２は、陳列面に沿って水平方向に延設された角棒２０に対し係止可能に形成されている。また、取付金具２は、図１に示す角棒２０の奥行き寸法Ｄ１よりも、図３に示すように、長い幅寸法Ｗ１を有し、これにより角棒２０に対し安定した状態で係止するようになされている。
また、吊り下げ型陳列具１は、取付金具２の前面に溶接により接合された略Ｃ字型の金属製の第一のフレーム３と、第一のフレーム３の下部前端に溶接により接合され、水平前方に直線状に延びる略直棒状の金属製の第二のフレーム４とを備える。
【００１６】
前記第一のフレーム３は、水平前方に直棒状に延びる第一の吊り下げ部３ａを有し、この第一の吊り下げ部３ａにより、第一の商品を収納した複数（図では７つ）の袋体２５を吊り下げ可能となされている。
即ち、第一の吊り下げ部３ａが、その前端から袋体２５の上端部に形成された丸穴の孔２５ａに貫挿されることにより、複数の袋体２５が吊り下げられるようになされている。尚、この第一の吊り下げ部３ａの前端には、袋体２５が前方から滑り落ちないように上向きに所定角度（例えば１２０°）傾斜した滑り落ち防止部３ｂ（第一の滑り落ち防止部）が設けられている。
【００１７】
また、第一のフレーム３は、第一の吊り下げ部３ａの後端から略直角に下方に屈曲し形成された直棒状の後側支持部３ｃと、この後側支持部３ｃの下端から略直角に前方に屈曲し形成された直棒状の下側支持部３ｄとを有する。更に、この第一のフレーム３は、下側支持部３ｄの前端から略直角に上方に屈曲し形成された前側支持部３ｅを有する。
尚、前記後側支持部３ｃの上端側部は、前記取付金具２の前面に溶接等により接合され固定されている。
【００１８】
ここで、後側支持部３ｃの長さ寸法（高さ寸法）は、第一の吊り下げ部３ａに吊り下げる袋体２５の高さ寸法よりも長く形成され、第一の吊り下げ部３ａの下方空間の高さ寸法が充分に確保されている。即ち、第一の吊り下げ部３ａに袋体２５を吊り下げた際、袋体２５の下部が下側支持部３ｄと干渉しないようになされている。
【００１９】
また、下側支持部３ｄの長さ寸法（奥行き寸法）は、その上方に設けられた吊り下げ部３ａよりも長く形成されている。
このため、図１に示すように、複数（図では７個）の袋体２５を第一のフレーム３の各部に干渉させることなく吊り下げることができる。
【００２０】
また、前記したように第一のフレーム３の下部前端、即ち前側支持部３ｅには第二のフレーム４が溶接等により接合されている。
この第二のフレーム４は、水平前方に直線状に延びる第二の吊り下げ部４ａを有し、この第二の吊り下げ部４ａの後端が前側支持部３ｅの上端側部に接合され固定されている。
【００２１】
前記第二の吊り下げ部４ａにより、（第一の商品とは種類の異なる）第二の商品を収納した複数（図では７つ）の袋体２６が吊り下げ可能となる。
即ち、第二の吊り下げ部４ａが、その前端から袋体２６の上端部に形成された丸穴の孔２６ａに貫挿されることにより、複数の袋体２６が吊り下げられるようになされている。尚、この第二の吊り下げ部４ａの前端には、袋体２６が前方から滑り落ちないように上向きに所定角度（例えば１２０°）傾斜した滑り落ち防止部４ｂ（第一の滑り落ち防止部）が設けられている。
【００２２】
また、前側支持部３ｅの長さ寸法（高さ寸法）は、その上端が第一の吊り下げ部３ａの高さ位置よりもある程度低い位置となるよう形成されている。
これにより、第一の吊り下げ部３ａと第二の吊り下げ部４ａとは、正面視において所定の間隔をもって縦一列に配置されると共に、側面視において第二の吊り下げ部４ａが第一の吊り下げ部３ａの前方に突出して配置される。
具体的には、第二の吊り下げ部４ａに吊り下げられた商品（袋体２６）の上端が、第一の吊り下げ部３ａに吊り下げられた商品（袋体２５）の上端から３分の１〜２分の１程度の高さ位置、即ち袋体２５の広告表示体が目視できる程度の高さ位置に配置される。
【００２３】
また、前側支持部３ｅの上端側部に第二の吊り下げ部４ａの後端が接合されることにより、図１に示すように、前側支持部３ｅの上端が、第二の吊り下げ部４ａの上端面よりも上方に突出し、滑り落ち防止部３ｆ（第二の滑り落ち防止部）が形成されている。即ち、この滑り落ち防止部３ｆを設けることにより、第二の吊り下げ部４ａに吊り下げられた袋体２６が後方から滑り落ちないようにすることができる。
【００２４】
尚、図１、図２に示すように第一の吊り下げ部３ａの後端部に、下部に切り込みが設けられたＰＯＰ広告の用紙２７を差し込むことによって、ＰＯＰ広告を立設できるようになされている。
【００２５】
以上のように構成された吊り下げ型陳列具１によれば、第一の吊り下げ部３ａと第二の吊り下げ部４ａとが、正面視において所定の間隔をもって縦一列に配置されると共に、側面視において第二の吊り下げ部４ａが第一の吊り下げ部３ａの前方に突出して配置される。
これにより種類の異なる商品の袋体２５，２６を、縦一列の限られたスペースに上下に並べて吊り下げることができると共に、吊り下げられている袋体２５，２６のいずれも、容易に取り出すことができ、スペースを有効利用することができる。
【００２６】
尚、前記実施の形態においては、第一のフレーム３が、第一の吊り下げ部３ａと後側支持部３ｃと下側支持部３ｄと前側支持部３ｅとにより一体に形成されているものとしたが、それに限定されず、全てを別体、或いはいずれかを別体に形成し、それらを溶接等により接合してもよい。
例えば、図４に示すように第一の吊り下げ部３ａを単体で形成し、その後端部を後側支持部３ｃの上端、及び取付金具２の上面と接合する構成としてもよい。
【００２７】
また、前記実施の形態によれば、袋体２５，２６の高さ寸法が異なっても、予め、それら寸法に合わせて後側支持部３ｃと前側支持部３ｅの長さ（高さ寸法）をそれぞれ形成することにより、高さ寸法の異なる袋体２５，２６であっても縦一列の限られたスペースに陳列することができる。
しかしながら、本発明にあっては、それに限定されるものではなく、図５に示すように、後側支持部３ｃ、前側支持部３ｅにそれぞれ例えばナット式のロック機構５，６を含む伸縮機構（伸縮手段）を設け、その長さを調節可能としてもよい。そのような伸縮機構を設けることにより、第一の吊り下げ部３ａの下方空間の高さ寸法を調節可能となり、様々な長さの袋体に対し、より柔軟に対応することができる。
【００２８】
また、前記実施の形態においては、第一の吊り下げ部３ａと第二の吊り下げ部３ｂの二段の吊り下げ構造を例に示したが、それに限定されず、より多くの吊り下げ部を設けた多段の吊り下げ構造であってもよい。
また、前記実施の形態においては、商品を収納した袋体の上端部に、吊り下げに用いる係合構造として丸穴が形成されたものを例にとって説明したが、図６に示すようなフック形状の係合構造にも用いることができる。
【符号の説明】
【００２９】
１          吊り下げ型陳列具
２          取付金具
３          第一のフレーム
３ａ        第一の吊り下げ部
３ｂ        滑り落ち防止部
３ｃ        後側支持部
３ｄ        下側支持部
３ｅ        前側支持部
３ｆ        滑り落ち防止部（第二の滑り落ち防止部）
４          第二のフレーム
４ａ        第二の吊り下げ部
４ｂ        滑り落ち防止部（第一の滑り落ち防止部）
５          ロック機構
６          ロック機構
２５        袋体
２６        袋体
２７        ＰＯＰ広告の用紙
【図１】
0003160826.tif 000003
【図２】
0003160826.tif 000004
【図３】
0003160826.tif 000005
【図４】
0003160826.tif 000006
【図５】
0003160826.tif 000007
【図６】
0003160826.tif 000008